【誤訳訂正書】
【提出日】令和2年9月30日(2020.9.30)
【誤訳訂正１】
【訂正対象書類名】特許請求の範囲
【訂正対象項目名】全文
【訂正方法】変更
【訂正の内容】
【特許請求の範囲】
【請求項１】
ビデオ情報をコーディングするように構成された装置であって、
参照レイヤ（ＲＬ）およびエンハンスメントレイヤ（ＥＬ）に関連付けられたビデオ情報を記憶するように構成されたメモリユニット、前記ＲＬは、第１のアクセスユニット中にＲＬピクチャを有し、前記ＥＬは、前記第１のアクセスユニット中に第１のＥＬピクチャを有し、コーディング順序における前記第１のＥＬピクチャの直前にある第２のＥＬピクチャは、パラメータの第１のセットと関連付けられる、と、
前記メモリユニットと通信するプロセッサと
を備え、前記プロセッサは、
前記第１のＥＬピクチャがイントラランダムアクセスポイント（ＩＲＡＰ）ピクチャであるかどうかを決定することと、
前記第１のアクセスユニットが、第１のビデオ情報が前記第１のＥＬピクチャを含む第２のビデオ情報と接合される接合ポイントの直後にくるかどうかを決定すること、前記第１のアクセスユニットが前記接合ポイントの直後にくるかどうかを前記決定することは、前記第１のアクセスユニットに関連するＮｏＣｌｒａｓＯｕｔｐｕｔＦｌａｇの値に基づいて前記第１のアクセスユニットが前記接合ポイントの直後にくると判断し、前記第１のアクセスユニット中の前記第１のＥＬピクチャが前記コーディング順序における前記接合ポイントに続くピクチャであるかどうかを決定することを備える、と、
（１）前記第１のＥＬピクチャがＩＲＡＰピクチャでなく、前記第１のアクセスユニットが接合ポイントの直後にこないとの決定に基づいて、前記パラメータの第１のセットと異なるパラメータの第２のセットと前記第１のＥＬピクチャを関連付けることを控えること、または（２）前記第１のＥＬピクチャがＩＲＡＰピクチャでなく、前記第１のアクセスユニットが接合ポイントの直後にくるとの決定に基づいて、前記パラメータの第１のセットと異なるパラメータの第２のセットと前記第１のＥＬピクチャを関連付けること、のうちの１つを実行することと
を行うように構成され、前記関連付けることは、ＩＲＡＰピクチャであり、所定の値のＮｏＣｌｒａｓＯｕｔｐｕｔＦｌａｇ値を有するベースレイヤピクチャを包含する初期ＩＲＡＰアクセスユニット、または特定のレイヤ中のＩＲＡＰピクチャであるレイヤ初期化ピクチャまで行われる、装置。
【請求項２】
前記プロセッサは、
前記第１のＥＬピクチャがＩＲＡＰピクチャであると示されるかどうかを決定することを、
（１）ビットストリーム中に含まれる、または（２）前記ビットストリーム中に含まれる情報に基づいて導出される、シンタックス要素またはフラグの値が所定の値に等しいかどうかを決定することと
に少なくとも部分的によって、前記第１のＥＬピクチャがＩＲＡＰピクチャであるかどうかを決定することを行うように構成される、
請求項１に記載の装置。
【請求項３】
前記プロセッサは、
前記第１のＥＬピクチャがＩＲＡＰピクチャでなく、前記第１のアクセスユニットが接合ポイントの直後にこないと決定することに応じて、前記ＥＬを、少なくとも前記ＥＬにおける次の接合ポイントまで前記パラメータの第１のセットと関連付けられたままにすること
を行うようにさらに構成される、請求項１に記載の装置。
【請求項４】
前記プロセッサは、
前記第１のＥＬピクチャがＩＲＡＰピクチャであるとの決定に基づいて、前記第１のＥＬピクチャを、前記パラメータの第２のセットと関連付けられるようにすることを行うようにさらに構成される、
請求項１に記載の装置。
【請求項５】
前記プロセッサは、
前記ＥＬを、少なくとも前記ＥＬにおける次のＩＲＡＰピクチャが処理されるまで前記パラメータの第１のセットと関連付けられたままにすること
に少なくとも部分的によって、前記パラメータの第２のセットと前記第１のＥＬピクチャを関連付けることを控えることを行うように構成される、
請求項１に記載の装置。
【請求項６】
前記プロセッサは、前記第１のＥＬピクチャと関連付けられるヘッダ情報を処理することに少なくとも部分的によって、前記第１のＥＬピクチャがＩＲＡＰピクチャであるかどうかを決定することを行うように構成される、
請求項１に記載の装置。
【請求項７】
前記プロセッサは、前記第１のＥＬピクチャがＩＲＡＰピクチャかどうかを示すシンタックス要素またはフラグを処理することに少なくとも部分的によって、前記第１のＥＬピクチャがＩＲＡＰピクチャであるかどうかを決定することを行うように構成される、
請求項１に記載の装置。
【請求項８】
前記ＲＬピクチャは、前記パラメータの第１のセットに関連付けられ、前記プロセッサは、前記ＲＬを、コード化ビデオシーケンス全体に関して前記パラメータの第１のセットに関連付けられたままにすることを行うようにさらに構成される、
請求項１に記載の装置。
【請求項９】
前記装置は、符号化器または復号器のうちの少なくとも１つを備え、前記プロセッサは、ビットストリーム中の前記ビデオ情報を符号化することまたは復号することのうちの少なくとも１つを行うようにさらに構成される、
請求項１に記載の装置。
【請求項１０】
前記装置は、
コンピュータ、ノートブック、ラップトップコンピュータ、タブレットコンピュータ、セットトップボックス、電話ハンドセット、スマートフォン、スマートパッド、テレビジョン、カメラ、ディスプレイデバイス、デジタルメディアプレーヤ、ビデオゲームコンソール、および車載コンピュータからなるグループの中から選択されるデバイスを備える、
請求項１に記載の装置。
【請求項１１】
ビデオ情報を符号化する方法であって、
エンハンストメントレイヤ（ＥＬ）の第１のアクセスユニット中の第１のＥＬピクチャがイントラランダムアクセスポイント（ＩＲＡＰ）ピクチャであるかどうかを決定すること、コーディング順序において、前記第１のＥＬピクチャの直前にある第２のＥＬピクチャは、パラメータの第１のセットと関連付けられる、と、
前記第１のアクセスユニットが、第１のビデオ情報が前記第１のＥＬピクチャを含む第２のビデオ情報と接合される接合ポイントの直後にくるかどうかを決定すること、前記第１のアクセスユニットが前記接合ポイントの直後にくるかどうかを前記決定することは、前記第１のアクセスユニットに関連するＮｏＣｌｒａｓＯｕｔｐｕｔＦｌａｇの値に基づいて前記第１のアクセスユニットが前記接合ポイントの直後にくると判断し、前記第１のアクセスユニット中の前記第１のＥＬピクチャが前記コーディング順序における前記接合ポイントに続くピクチャであるかどうかを決定することを備える、と、
（１）前記第１のＥＬピクチャがＩＲＡＰピクチャでなく、前記第１のアクセスユニットが接合ポイントの直後にこないとの決定に基づいて、前記パラメータの第１のセットと異なるパラメータの第２のセットと前記第１のＥＬピクチャを関連付けることを控えること、または（２）前記第１のＥＬピクチャがＩＲＡＰピクチャでなく、前記第１のアクセスユニットが接合ポイントの直後にくるとの決定に基づいて、前記パラメータの第１のセットと異なるパラメータの第２のセットと前記第１のＥＬピクチャを関連付けること、のうちの１つを実行することと
を備え、前記関連付けることは、ＩＲＡＰピクチャであり、所定の値のＮｏＣｌｒａｓＯｕｔｐｕｔＦｌａｇ値を有するベースレイヤピクチャを包含する初期ＩＲＡＰアクセスユニット、または特定のレイヤ中のＩＲＡＰピクチャであるレイヤ初期化ピクチャまで行われる、方法。
【請求項１２】
前記第１のＥＬピクチャがＩＲＡＰピクチャであるかどうかを決定することは、
前記第１のＥＬピクチャがＩＲＡＰピクチャであると示されるかどうかを決定することと、
（１）ビットストリーム中に含まれる、または（２）前記ビットストリーム中に含まれる情報に基づいて導出される、シンタックス要素またはフラグの値が所定の値に等しいかどうかを決定することと
を少なくとも備える、請求項１１に記載の方法。
【請求項１３】
実行されると、装置に、請求項１１乃至１２のいずれか１項に記載の方法を請け負わせるコードを備える、
非一時的コンピュータ可読媒体。
【誤訳訂正２】
【訂正対象書類名】明細書
【訂正対象項目名】０１３５
【訂正方法】変更
【訂正の内容】
【０１３５】
[00142]いくつかのコーディングスキームでは、レイヤ初期化ピクチャ（「ＬＩＰピクチャ」）は、「１」の値に設定されたＮｏＲａｓｌＯｕｔｐｕｔＦｌａｇフラグ（たとえば、値が「１」に設定される場合、ＲＡＳＬピクチャが出力されるべきでないことを示すフラグ、および値が「０」に設定される場合、ＲＡＳＬピクチャが出力されるべきであることを示すフラグ）を有するＩＲＡＰピクチャであるピクチャ、またはベースレイヤのピクチャ（たとえば、「０」のレイヤＩＤ値またはビットストリーム中で定義された最小レイヤＩＤを有するピクチャ）が「１」の値に設定されたＲａｓｌＯｕｔｐｕｔＦｌａｇを有するＩＲＡＰアクセスユニットである初期ＩＲＡＰアクセスユニット中に含まれるピクチャとして定義され得る。
【誤訳訂正３】
【訂正対象書類名】明細書
【訂正対象項目名】０１３６
【訂正方法】変更
【訂正の内容】
【０１３６】
[00143]いくつかの実施形態では、ＳＰＳは、各ＬＩＰピクチャにおいてアクティベートされ得る。たとえば、「１」の値に設定されたＮｏＲａｓｌＯｕｔｐｕｔＦｌａｇフラグを有する各ＩＲＡＰピクチャ、または初期ＩＲＡＰアクセスユニット中に含まれる各ピクチャ、前にアクティベートされたＳＰＳとは異なり得る（たとえば、異なるピクチャ解像度を指定するなど）新しいＳＰＳ。しかしながら、ＬＩＰピクチャがＩＲＡＰピクチャ（たとえば、初期ＩＲＡＰアクセスユニット中に含まれる任意のピクチャ）ではなく、初期ＩＲＡＰアクセスユニット中のベースレイヤピクチャが、「０」の値に設定されたフラグＮｏＣｌｒａｓＯｕｔｐｕｔＦｌａｇフラグ（たとえば、値が「１」に設定された場合、クロスレイヤランダムアクセススキップピクチャが出力されないことを示し、値が「０」に設定された場合、クロスレイヤランダムアクセススキップピクチャが出力されることを示すフラグ）を有するＩＤＲピクチャである場合、ＬＩＰピクチャは、新しいＳＰＳをアクティベートすることを許可されるべきではない。そのようなＬＩＰピクチャにおいて新しいＳＰＳがアクティベートされる場合、詳細には、新しいＳＰＳのＳＰＳ  ＲＢＳＰのコンテンツが、初期ＩＲＡＰアクセスユニットの前にあらかじめアクティブであったＳＰＳのコンテンツとは異なるとき、異なるピクチャ解像度および誤り耐性における問題がある。たとえば、新しいＳＰＳは、解像度を更新し、異なるサイズのピクチャを参照するために時間予測を使用し得る。
【誤訳訂正４】
【訂正対象書類名】明細書
【訂正対象項目名】０１３７
【訂正方法】変更
【訂正の内容】
【０１３７】
[00144]いくつかの実施形態では、ＮｏＣｌＲａｓＯｕｔｐｕｔＦｌａｇおよびＮｏＲａｓｌＯｕｔｐｕｔＦｌａｇは、ビットストリーム中に含まれる情報に基づいて導出される変数であり得る。たとえば、ＮｏＲａｓｌＯｕｔｐｕｔＦｌａｇは、（たとえば、ＢＬおよび／またはＥＬ中の）すべてのＩＲＡＰピクチャについて導出され得、ＮｏＣｌＲａｓＯｕｔｐｕｔＦｌａｇは、最下位レイヤピクチャ（たとえば、ＢＬピクチャ）についてのみ導出され得る。ＮｏＣｌＲａｓＯｕｔｐｕｔＦｌａｇおよびＮｏＲａｓｌＯｕｔｐｕｔＦｌａｇの各々の値は、ビットストリーム中のいくつかのピクチャが、いくつかの参照ピクチャの非利用可能性に起因して正しく復号可能でないことがあることを示し得る。参照ピクチャのそのような非利用可能性は、ランダムアクセスポイントにおいて生じ得る。    クロスレイヤランダムアクセススキップ（ＣＬ−ＲＡＳ）ピクチャは、いくつかの点で、ＲＡＳＬピクチャのマルチレイヤ等価物である。復号器がランダムアクセスポイント（たとえば、ＢＬ  ＩＲＡＰピクチャを有するアクセスユニット）においてビットストリームの復号を開始し、アクセスユニット中のＥＬピクチャがＩＲＡＰピクチャでない場合、そのＥＬピクチャは、ＣＬ＿ＲＡＳピクチャである。    ＥＬ中のすべてのピクチャは、ＩＲＡＰピクチャがＥＬ中で発生するまで、ＣＬ−ＲＡＳピクチャ（たとえば、復号可能であるが、正しく復号可能ではない）であり得る。    そのようなＥＬ  ＩＲＡＰピクチャがビットストリーム中で提供されるとき、ＥＬは、初期化されたと言われ得る。
アクティブＳＰＳ  ＲＢＳＰの持続時間
【誤訳訂正５】
【訂正対象書類名】明細書
【訂正対象項目名】０１３８
【訂正方法】変更
【訂正の内容】
【０１３８】
[00145]上記で説明した問題を引き起こし得る、接合ポイント以外の非ＩＲＡＰピクチャであるＬＩＰピクチャによって新しいＳＰＳのアクティベーション（それは、上述された問題を引き起こし得る）を防ぐために、アクティベートされたＳＰＳ  ＲＢＳＰは、ある特定の時間期間にわたってアクティブであり続けることを強制され得る。いくつかの実施形態では、特定のレイヤのためのアクティベートされたＳＰＳ  ＲＢＳＰは、その特定のレイヤのコーディングされたレイヤワイズビデオシーケンス（ＣＬＶＳ：coded layer-wise video sequence）全体にわたってアクティブであり続けるべきである。ＣＬＶＳは、コーディングされたピクチャのシーケンスを指し得、それは、復号順で、「１」の値に等しいＮｏＲａｓｌＯｕｔｐｕｔＦｌａｇを有するＩＲＡＰピクチャ又は「０」の値に等しいＦｉｒｓｔＰｉｃＩｎＬａｙｅｒＤｅｃｏｄｅｄＦｌａｇ（例えば、ピクチャがレイヤ中の第１のピクチャであることを示す）を有するピクチャ、それに続いて、あれば、「１」の値に等しいＮｏＲａｓｌＯｕｔｐｕｔＦｌａｇを有する次のＩＲＡＰピクチャ、または「０」の値に等しいＦｉｒｓｔＰｉｃＩｎＬａｙｅｒＤｅｃｏｄｅｄＦｌａｇを有する次のピクチャまでの（ただしそれを除いた）全てのコーディングされたピクチャから成る（例えば、同じレイヤＩＤＥＡ値を有する）同じレイヤ中にある。
【誤訳訂正６】
【訂正対象書類名】明細書
【訂正対象項目名】０１３９
【訂正方法】変更
【訂正の内容】
【０１３９】
[00146]いくつかの実施形態では、特定のレイヤのためのアクティベートされたＳＰＳ  ＲＢＳＰは、次の通りに、特定のレイヤ中の復号順のピクチャのシーケンスにわたってアクティブであり続けるべきである：（１）特定のｎｕｈ＿ｌａｙｅｒ＿ｉｄ値が０に等しい場合、アクティベートされたＳＰＳは、ＣＶＳ全体にわたってアクティブであり続けるべきである、（２）そうでない場合（例えば、特定のレイヤのレイヤＩＤが０に等しくない場合）、アクティベートされたＳＰＳは、特定のレイヤ中のＩＲＡＰピクチャであるＬＩＰピクチャ、または、ＩＲＡＰピクチャであり、且つ「１」のＮｏＣｌｒａｓＯｕｔｐｕｔＦｌａｇ値を有するベースレイヤピクチャを包含するＩＲＡＰアクセスユニット中に包含され、ＩＲＡＰピクチャではないＬＩＰピクチャから始まって、ＩＲＡＰピクチャであり、「１」のＮｏＣｌｒａｓＯｕｔｐｕｔＦｌａｇ値を有するベースレイヤピクチャを包含する初期ＩＲＡＰアクセスユニット、または特定のレイヤ中のＩＲＡＰピクチャである次のＬＩＰピクチャまで、アクティブであり続けるべきである。  
接合ポイントを含むビットストリーム
【誤訳訂正７】
【訂正対象書類名】明細書
【訂正対象項目名】０１４０
【訂正方法】変更
【訂正の内容】
【０１４０】
[00147]図４を参照して、接合ポイントを有する例示的なビットストリームについて説明する。図４は、ビットストリーム４１０および４２０を接合することによって作り出されたマルチレイヤビットストリーム４００を示す。ビットストリーム４１０は、エンハンスメントレイヤ（ＥＬ）４１０Ａおよびベースレイヤ（ＢＬ）４１０Ｂを含み、ビットストリーム４２０は、ＥＬ４２０ＡおよびＢＬ４２０Ｂを含む。ＥＬ４１０Ａは、ＥＬピクチャ４１２Ａを含み、ＢＬ４１０Ｂは、ＢＬピクチャ４１２Ｂを含む。ＥＬ４２０Ａは、ＥＬピクチャ４２２Ａ、４２４Ａ、および４２６Ａを含み、ＢＬ４２０Ｂは、ＢＬピクチャ４２２Ｂ、４２４Ｂ、および４２６Ｂを含む。マルチレイヤビットストリーム４００は、アクセスユニット（ＡＵ）４３０〜４６０をさらに含む。ＡＵ４３０は、ＥＬピクチャ４１２ＡおよびＢＬピクチャ４１２Ｂを含み、ＡＵ４４０は、ＥＬピクチャ４２２ＡおよびＢＬピクチャ４２２Ｂを含み、ＡＵ４５０は、ＥＬピクチャ４２４ＡおよびＢＬピクチャ４２４Ｂを含み、ＡＵ４６０は、ＥＬピクチャ４２６ＡおよびＢＬピクチャ４２６Ｂを含む。図４の例では、ＢＬピクチャ４２２Ｂは、ＩＲＡＰピクチャであり、ＡＵ４４０中の対応するＥＬピクチャ４２２Ａは、末尾ピクチャ（たとえば、非ＩＲＡＰピクチャ）であり、したがって、ＡＵ４４０はアラインされないＩＲＡＰ  ＡＵである。また、ＡＵ４４０は、接合ポイント４７０の直後のアクセスユニットであることに留意されたい。
【誤訳訂正８】
【訂正対象書類名】明細書
【訂正対象項目名】０１４１
【訂正方法】変更
【訂正の内容】
【０１４１】
[00148]図４の例は、２つの異なるビットストリームが互いに結合される場合を示すが、いくつかの実施形態では、ビットストリームの一部分が除去されるときに接合ポイントが存在し得る。例えば、ビットストリームは、部分Ａ、Ｂ、およびＣを有し得、部分Ｂは、部分ＡとＣとの間にある。部分Ｂがビットストリームから除去される場合、残りの部分ＡおよびＣは、一緒に結合され得、それらが一緒に結合されるポイントは、接合ポイントと呼ばれ得る。より一般的には、本出願で説明する接合ポイントは、１つまたは複数のシグナリングされたまたは導出されたパラメータまたはフラグが所定の値を有するときに存在すると見なされ得る。たとえば、接合ポイントが特定のロケーションに存在するという特定のインジケーションを受信することなしに、復号器は、フラグ（たとえば、ＮｏＣｌｒａｓＯｕｔｐｕｔＦｌａｇ）の値を決定し、フラグの値に基づいて本出願で説明する１つまたは複数の技法を実行し得る。
新しいパラメータセットのアクティベーションを制限すること
【誤訳訂正９】
【訂正対象書類名】明細書
【訂正対象項目名】０１４４
【訂正方法】変更
【訂正の内容】
【０１４４】
[00151]ブロック５１０において、コーダは、ＥＬピクチャが接合ポイントにあるかどうかを決定する。接合ポイントは、２つのビットストリームが結合されるポイントを示し得る。たとえば、第１のビットストリームの最後のピクチャの直後に、コーディング順序で、第２のビットストリームの第１のピクチャが来得る。いくつかの実施形態では、コーダは、ＥＬピクチャがコーディング順序で接合スポイントに続く第１のピクチャであるかどうかを決定することによって、ＥＬピクチャが接合ポイントにあるかどうかを決定し得る。ＥＬピクチャが接合ポイントにあるとコーダが決定した場合、方法５００は、ブロック５２０に進む。ＥＬピクチャが接合ポイントにないとコーダが決定した場合、方法５００は、ブロック５１５に進む。図４を参照して上記で議論したように、５１０における決定は、１つまたは複数のシグナルされたまたは導出されたパラメータまたはフラグが事前決定された値を有するかどうかを決定することを備え得る。たとえば、接合ポイントが特定のロケーションに存在するという特定のインジケーションを受信すること無しに、符号化器または復号器は、フラグ（たとえば、ＮｏＣｌｒａｓＯｕｔｐｕｔＦｌａｇ）の値を決定し、決定に基づいてブロック５１５またはブロック５２０のいずれかに進み得る。